(57)【要約】      （修正有）【課題】分岐回路の特定が行い易いアドレス設定を自動で簡単に行うことができ、かつ、誤設定が防止される分電盤を提供する。【解決手段】分電盤は、複数の分岐回路と、分岐ブレーカ４と、各分岐回路のアドレス情報に対応した固有の状態を有するアドレス識別物６とを備える。当該ブレーカ４は各分岐回路の通電情報を検出する検出センサ４１と検出した通電情報を演算処理する処理部４２を含む状態検出部４３と、当該アドレス識別物６の状態を検出してアドレス情報を読み取るアドレス検出部４４とを備え、当該状態検出部４３が当該処理部４２の処理結果及びアドレス情報を出力する。【選択図】図２
2008228379.tif 000002
【特許請求の範囲】
【請求項１】
複数の分岐回路と、これら分岐回路に配設された分岐ブレーカと、前記分岐回路の各通電情報を検出する検出センサ及び前記検出センサが検出した通電情報を演算処理する処理部を含む状態検出部と、を備え、前記状態検出部が前記処理部の処理結果及び各分岐回路の個別アドレス情報を出力することで、いずれの分岐回路からの情報であるかを特定し、通電状態を監視する分電盤において、
前記各分岐回路のアドレス情報に対応した固有の状態を有するアドレス識別物が前記分岐ブレーカの近傍に配設され、
前記分岐ブレーカは、前記アドレス識別物の状態を検出しアドレス情報を読み取るアドレス検出部を有し、前記アドレス検出部が前記アドレス識別物からアドレス情報を読み取ることにより各分岐回路毎にアドレスが設定されるようにしたことを特徴とする分電盤。
【請求項２】
前記アドレス識別物は、前記分電盤の底板に配設され、
前記分岐ブレーカは、該アドレス識別物の上に配設されており、
前記アドレス検出部は、該分岐ブレーカの該アドレス識別物側に配置されていることを特徴とする請求項１に記載の分電盤。
【請求項３】
前記アドレス識別物は、アドレス情報に対応した構造を有し、
前記分岐ブレーカは、前記分電盤に設置されたとき、該構造を検出し、アドレス情報を読み取ることを特徴とする請求項１又は請求項２に記載の分電盤。
【請求項４】
前記分岐ブレーカが前記分電盤から取り外されたとき、前記アドレス検出部は、アドレス情報を読み取る前の初期状態に戻ることを特徴とする請求項１乃至請求項３のいずれか一項に記載の分電盤。
【請求項５】
前記アドレス検出部は、前記アドレス識別物からのアドレス情報の読み取りを光学的、電気的、又は磁気的な検出手段により行なうことを特徴とすることを特徴とする請求項１、請求項２、又は請求項４のいずれか一項に記載の分電盤。
【請求項６】
前記アドレス識別物は、複数の分岐回路のアドレス情報を有するプリント基板であることを特徴とする請求項１、請求項２、請求項４又は請求項５のいずれか一項に記載の分電盤。
【請求項７】
前記アドレス識別物は、アドレス情報に対応した平面コイルを有するプリント基板であり、前記アドレス検出部は、磁気センサにより磁気を検出し、アドレス情報を読み取ることを特徴とする請求項１、請求項２、又は請求項４乃至請求項６のいずれか一項に記載の分電盤。
【請求項８】
前記アドレス識別物は、発光素子を有し、
前記アドレス検出部は、前記発光素子の光を検出し、アドレス情報を読み取ることを特徴とする請求項１、請求項２、又は請求項４乃至請求項６のいずれか一項に記載の分電盤。
【請求項９】
前記アドレス識別物は、アドレス情報に対応した電気的物理量を有する電子回路を備え、
前記アドレス検出部は、該電子回路から該電気的物理量を検出し、アドレス情報を読み取ることを特徴とする請求項１、請求項２、又は請求項４乃至請求項６のいずれか一項に記載の分電盤。
【請求項１０】
前記電気的物理量は抵抗値であることを特徴とする請求項９に記載の分電盤。
【請求項１１】
前記アドレス識別物は、複数の抵抗器を有して、少なくとも２つの抵抗器を直列接続しており、
前記アドレス検出部は前記直列接合された抵抗器の両端に所定の電圧を印加し、該直列接合を構成する抵抗器により分圧された電圧を前記電気的物理量として検出することを特徴とする請求項９に記載の分電盤。
【請求項１２】
前記電子回路は、導電性のインクを用いて、絶縁板にインクジェット印刷によって形成された回路を有することを特徴とする請求項９に記載の分電盤。
【請求項１３】
前記分岐ブレーカの前記分電盤への装着が不完全なときには、前記アドレス識別物と前記アドレス検出部との電気的接続が行なわれず、前記装着が完全なときには、前記アドレス識別物と前記アドレス検出部との電気的接続が行なわれるように、前記アドレス識別物と前記アドレス検出部との接続端子の配置がなされていることを特徴とする請求項９乃至請求項１２のいずれか一項に記載の分電盤。
【請求項１４】
前記アドレス識別物は、各分岐回路に対応するアドレス情報を有する回路毎に電気的に絶縁されていることを特徴とする請求項７乃至請求項１３のいずれか一項に記載の分電盤。
【請求項１５】
前記アドレス識別物からアドレス検出部への通信、又は前記アドレス識別物とアドレス検出部の間の双方向の通信を行なう通信手段を有し、前記アドレス検出物が前記アドレス識別物からの信号を検出し、アドレス情報を読み取ることを特徴とする請求項１に記載の分電盤。
【請求項１６】
前記通信手段は、前記アドレス識別物に無線通信が可能なＩＣチップを有し、前記アドレス検出部に該ＩＣチップの有するデータを読み取るリーダを有していることを特徴とする請求項１５に記載の分電盤。
【発明の詳細な説明】
【技術分野】
【０００１】
本発明は、通電状態を監視する分電盤に関する。
【背景技術】
【０００２】
分電盤内の各分岐回路の電流やトリップ原因等の検出情報を、１箇所に集め集中監視する統合ユニットを含む分電盤システムを構成する場合、各分岐回路からの情報を個別に電線で接続して配線する必要があり、分電盤内が煩雑であったが、電力線搬送通信（ＰＯＷＥＲ  ＬＩＮＥ  ＣＯＭＭＵＮＩＣＡＴＩＯＮＳ  以下、ＰＬＣという）等の情報伝送技術を用いることにより、従来のように電線を接続して配線する必要はなくなっている。
【０００３】
しかしながら、ＰＬＣ等による情報伝送技術を用いる場合、各分岐ブレーカには固有のアドレスを付与し設定する必要がある。このアドレスの設定手段の技術として分岐ブレーカを分電盤に装着すると自動的にアドレスが付与されて設定される方式があるが、アドレス設定のプロトコルが複雑であり、アドレス設定のために高機能な制御回路を搭載する必要がある。
【０００４】
また、分岐回路において、例えば短絡事故が発生して分岐ブレーカが遮断動作した場合、集中監視する統合ユニットは、個別のアドレスにより事故が発生した分岐回路を報知するが、自動付与されたアドレスの場合、ユーザにはいずれの分岐回路なのかが分かりにくい。
【０００５】
また、手動の設定スイッチによりアドレスを設定する分岐ブレーカが知られている（例えば、特許文献１参照）。
【０００６】
しかしながら、特許文献１に示されるような分岐ブレーカにおいては、誤設定により複数の分岐ブレーカに同一のアドレスを設定する虞があり、また、アドレス設定に手間がかかる。
【特許文献１】特開２００２−９５１５２号公報
【発明の開示】
【発明が解決しようとする課題】
【０００７】
本発明は、上記従来の問題を解決するためになされたものであり、分岐回路の特定が行ない易いアドレス設定を自動で簡単に行うことができ、かつ、誤設定を防止することができる分電盤を提供することを目的とする。
【課題を解決するための手段】
【０００８】
上記目的を達成するために請求項１の発明は、複数の分岐回路と、これら分岐回路に配設された分岐ブレーカと、前記分岐回路の各通電情報を検出する検出センサ及び前記検出センサが検出した通電情報を演算処理する処理部を含む状態検出部と、を備え、前記状態検出部が前記処理部の処理結果及び各分岐回路の個別アドレス情報を出力することで、いずれの分岐回路からの情報であるかを特定し、通電状態を監視する分電盤において、前記各分岐回路のアドレス情報に対応した固有の状態を有するアドレス識別物が前記分岐ブレーカの近傍に配設され、前記分岐ブレーカは、前記アドレス識別物の状態を検出しアドレス情報を読み取るアドレス検出部を有し、前記アドレス検出部が前記アドレス識別物からアドレス情報を読み取ることにより各分岐回路毎にアドレスが設定されるようにしたものである。
【０００９】
請求項２の発明は、請求項１に記載の分電盤において、前記アドレス識別物は、前記分電盤の底板に配設され、前記分岐ブレーカは、該アドレス識別物の上に配設されており、前記アドレス検出部は、該分岐ブレーカの該アドレス識別物側に配置されているものである。
【００１０】
請求項３の発明は、請求項１又は請求項２に記載の分電盤において、前記アドレス識別物は、アドレス情報に対応した構造を有し、前記分岐ブレーカは、前記分電盤に設置されたとき、該構造を検出し、アドレス情報を読み取るものである。
【００１１】
請求項４の発明は、請求項１乃至請求項３のいずれか一項に記載の分電盤において、前記分岐ブレーカが前記分電盤から取り外されたとき、前記アドレス検出部は、アドレス情報を読み取る前の初期状態に戻るものである。
【００１２】
請求項５の発明は、請求項１、請求項２、又は請求項４のいずれか一項に記載の分電盤において、前記アドレス検出部は、前記アドレス識別物からのアドレス情報の読み取りを光学的、電気的、又は磁気的な検出手段により行なうものである。
【００１３】
請求項６の発明は、請求項１、請求項２、請求項４又は請求項５のいずれか一項に記載の分電盤において、前記アドレス識別物は、複数の分岐回路のアドレス情報を有するプリント基板であるものである。
【００１４】
請求項７の発明は、請求項１、請求項２、又は請求項４乃至請求項６のいずれか一項に記載の分電盤において、前記アドレス識別物は、アドレス情報に対応した平面コイルを有するプリント基板であり、前記アドレス検出部は、磁気センサにより磁気を検出し、アドレス情報を読み取るものである。
【００１５】
請求項８の発明は、請求項１、請求項２、又は請求項４乃至請求項６のいずれか一項に記載の分電盤において、前記アドレス識別物は、発光素子を有し、前記アドレス検出部は、前記発光素子の光を検出し、アドレス情報を読み取るものである。
【００１６】
請求項９の発明は、請求項１、請求項２、又は請求項４乃至請求項６のいずれか一項に記載の分電盤において、前記アドレス識別物は、アドレス情報に対応した電気的物理量を有する電子回路を備え、前記アドレス検出部は、該電子回路から該電気的物理量を検出し、アドレス情報を読み取るものである。
【００１７】
請求項１０の発明は、請求項９に記載の分電盤において、前記電気的物理量は抵抗値であるものである。
【００１８】
請求項１１の発明は、請求項９に記載の分電盤において、前記アドレス識別物は、複数の抵抗器を有して、少なくとも２つの抵抗器を直列接続しており、前記アドレス検出部は前記直列接合された抵抗器の両端に所定の電圧を印加し、該直列接合を構成する抵抗器により分圧された電圧を前記電気的物理量として検出するものである。
【００１９】
請求項１２の発明は、請求項９に記載の分電盤において、前記電子回路は、導電性のインクを用いて、絶縁板にインクジェット印刷によって形成された回路を有するものである。
【００２０】
請求項１３の発明は、請求項９乃至請求項１２のいずれか一項に記載の分電盤において、前記分岐ブレーカの前記分電盤への装着が不完全なときには、前記アドレス識別物と前記アドレス検出部との電気的接続が行なわれず、前記装着が完全なときには、前記アドレス識別物と前記アドレス検出部との電気的接続が行なわれるように、前記アドレス識別物と前記アドレス検出部との接続端子の配置がなされているものである。
【００２１】
請求項１４の発明は、請求項７乃至請求項１３のいずれか一項に記載の分電盤において、前記アドレス識別物は、各分岐回路に対応するアドレス情報を有する回路毎に電気的に絶縁されているものである。
【００２２】
請求項１５の発明は、請求項１に記載の分電盤において、前記アドレス識別物からアドレス検出部への通信、又は前記アドレス識別物とアドレス検出部の間の双方向の通信を行なう通信手段を有し、前記アドレス検出物が前記アドレス識別物からの信号を検出し、アドレス情報を読み取るものである。
【００２３】
請求項１６の発明は、請求項１５に記載の分電盤において、前記通信手段は、前記アドレス識別物に無線通信が可能なＩＣチップを有し、前記アドレス検出部に該ＩＣチップの有するデータを読み取るリーダを有しているものである。
【発明の効果】
【００２４】
請求項１の発明によれば、アドレス検出部がアドレス識別物からアドレス情報を読み取るので、自動で簡単にアドレス設定を行なうことができ、誤設定も防止することができる。また、分岐回路の分電盤での位置に対応したアドレスを設定することができるので、ユーザが、アドレスに基づいて、通電情報がいずれの分岐回路からの情報であるかを特定し易い。
【００２５】
請求項２の発明によれば、分岐ブレーカのアドレス検出部が、アドレス識別物側に配置されているので、分岐ブレーカの分電盤への装着や、分岐ブレーカの操作に支障が生じない。
【００２６】
請求項３の発明によれば、分岐ブレーカを分電盤に装着するだけで、簡単にアドレスを設定することができ、また、設定の間違いがない。
【００２７】
請求項４の発明によれば、分岐ブレーカは取り外されたときに初期値に戻るので、分岐ブレーカを他の分岐回路に移してもアドレス設定に間違いがない。
【００２８】
請求項５の発明によれば、アドレス設定の改ざんが、機械式のアドレス設定に比べて行いにくいので、アドレス設定の信頼性が向上する。
【００２９】
請求項６の発明によれば、複数の分岐回路のアドレス情報が一つのプリント基板に形成されるので、個々の分岐回路毎にプリント基板を形成するよりも、低コストになり、分電盤への取り付けも容易になる。
【００３０】
請求項７の発明によれば、アドレス検出部とアドレス識別物とが非接触であるので、分岐ブレーカの分電盤への取り付け、取り外しを繰り返しても磨耗等がなく、アドレス情報の読み取りの劣化が生じない。
【００３１】
請求項８の発明によれば、アドレス情報の読み取りを光によって行なうので、分電盤内の大電流による磁気の影響を受けず、信頼性が向上する。
【００３２】
請求項９の発明によれば、アドレス情報を電気的物理量により有するので、設定可能なアドレス数を多くすることができる。
【００３３】
請求項１０の発明によれば、精度が高く安価な抵抗器により、抵抗値の高い分解能を得ることができ、設定可能なアドレス数を多くすることができる。
【００３４】
請求項１１の発明によれば、アドレス検出部とアドレス識別物との接触端子間に接触抵抗が有っても精度良くアドレス情報を読み取ることができる。
【００３５】
請求項１２の発明によれば、アドレス識別物を低コストに製作することができる。
【００３６】
請求項１３の発明によれば、分岐ブレーカが分電盤に完全に装着されてから、アドレス情報を読み取るので、読み取りの誤りを防ぐことができる。
【００３７】
請求項１４の発明によれば、アドレス情報を有するある一つの回路にノイズが重畳しても、アドレス情報を有する他の回路には影響がないので、アドレス情報の読み取りの信頼性が向上する。
【００３８】
請求項１５の発明によれば、アドレス数の制限がなく、また、双方向通信により、アドレス設定の確認を行なうことができる。また、アドレス情報以外の情報の通信を行なうことができる。
【００３９】
請求項１６の発明によれば、アドレス識別物の駆動電源が不要となり、また、アドレス識別物を分岐ブレーカの近傍に設置するだけでアドレス設定を行なうことができる。
【発明を実施するための最良の形態】
【００４０】
（第１の実施形態）
本発明の第１の実施形態に係る分電盤について図面を参照して説明する。図１は、分電盤の構成を、図２は、分岐ブレーカの構成を示す。分電盤１は、外部から電力を受電する主幹ブレーカ２と、バー形状の電力線３により主幹ブレーカ２と繋がり、電力を複数の分岐回路に分岐する分岐ブレーカ４と、各分岐回路の通電情報を監視し、報知する計測ユニット５を底板１１の上に備えている。底板１１の上には、各分岐回路のアドレス情報を有するアドレス識別物６が配置されており、分岐ブレーカ４はアドレス識別物６の上に設置されている。
【００４１】
分岐ブレーカ４は、漏電、電流、及び接点状態等の通電情報を検出する各検出センサ４１と、検出センサ４１が検出した通電情報を演算処理する処理部４２とを有する状態検出部４３と、アドレス識別物６からアドレス情報を読み取り、処理部４２へ出力するアドレス検出部４４とを備えている。処理部４２は、演算処理した通電情報とアドレス情報とを子機モジュール４５によって電力線３を介してＰＬＣにより、計測ユニット５が有する親機モジュール５１へ出力する。計測ユニット５は、親機モジュール５１が受信した分岐ブレーカ４からの信号に基づいて、分岐回路の通電状況をユーザに報知する。
【００４２】
図３（ａ）、（ｂ）は、分岐ブレーカ４のアドレス識別物６への装着状態を示し、（ｃ）は分岐ブレーカ４の外観を示す。分岐ブレーカ４は３個の取付口４６１により、バー形状の電力線３に取り付けられて受電し、２次側端子４６２から負荷へ電源を供給する。分岐ブレーカ４は、上部に２次側端子４６２への電源供給と、内蔵する検出センサや処理部等のスイッチとなっているスイッチレバー４６３を有している。アドレス検出部４４は、分岐ブレーカ４の底面４６４に９個の押しボタン４４１を有しており、アドレス識別物６には、押しボタン４４１に対応するところに、アドレス情報に応じた凹凸構造６０を形成する突起６１が配置されている。分岐ブレーカ４が分電盤に装着されると、突起６１があるところの押しボタン４４１が押され、アドレス検出部４４は、凹凸構造６０を検出しアドレス情報を読み取る。押しボタン４４１が９個であるので、突起６１の有無により２の９乗で、５１２通りのアドレスを設定することができる。
【００４３】
上記のように構成された分岐ブレーカ４の動作について図面を参照して説明する。図４は、分岐ブレーカ４の動作のフローを示す。分岐ブレーカ４が分電盤１に挿入される前の状態（ステップＳ１）では、分岐回路の電源はオフの状態である。分岐ブレーカ４を分電盤１の電力線３のバーに挿入し、スイッチレバー４６３を投入すると分岐回路の電源がオンになる（ステップＳ２）。同時に分岐ブレーカ４に内蔵された検出センサ４１やアドレス検出部４４が起動し、突起６１によって押された押しボタン４４１により、アドレス検出部４４はアドレス情報を読み取る（ステップＳ３）。そして、短絡等の事故が発生すると（ステップＳ４）、処理部４２はアドレス情報と事故情報とを子機モジュール４５から電力線３を介してＰＬＣにより計測ユニット５へ出力し（ステップＳ５）、計測ユニット５は、いずれの分岐回路でどのような事故が発生したかを認識し（ステップＳ６）、例えば液晶（図示なし）等によりユーザに報知する（ステップＳ７）。
【００４４】
図５は、分岐ブレーカ４と計測ユニット５の間での通信の構成を示す。計測ユニット５は、電力線３によって複数の分岐ブレーカ４と通信を行なっている。分岐ブレーカ４から計測ユニット５へは、短絡や過電流等の事故情報、通電正常時の電流値、絶縁の劣化状態を示す漏電電流値、及び分岐回路の種々の異常等が通信される。また、計測ユニット５から分岐ブレーカ４へは、通電状態の返信要求、電源供給の遮断要求、及び分岐ブレーカ４が表示手段を有する場合には表示要求等が通信される。
【００４５】
上述した本実施形態の分電盤によれば、分岐ブレーカ４がアドレス識別物６からアドレス情報を読み取るので、分岐ブレーカ４を分電盤１に装着するだけで、自動で簡単にアドレス設定を行なうことができ、誤設定も防止できる。また、分岐ブレーカ４の位置に対応したアドレスを設定できるので、ユーザが、アドレスに基づいて、通電情報がいずれの分岐回路からの情報であるかを特定し易い。アドレス検出部４４が、分岐ブレーカ４のアドレス識別物６側の底面４６４に配置されているので、分岐ブレーカ４の分電盤１への装着作業や、分岐ブレーカ４の操作に支障が生じない。また、高機能なプロトコルを用いないので低コストである。
【００４６】
アドレス識別物６の構造は、例えば、スリット形状による構造のように、突起６１の有無による凹凸構造６０でなくてもよい。凹凸構造６０と同様の効果を得ることができる。
【００４７】
分岐ブレーカ４をアドレス識別物６から取り外したときに、アドレス検出部４４が、アドレス情報の読み取る前の初期状態に戻るようにしてもよい。初期状態に戻り、アドレスが削除されるので、分岐ブレーカ４を他の分岐回路に移しても、アドレス設定に間違いがない。
【００４８】
（第２の実施形態）
本発明の第２の実施形態に係る分電盤について図面を参照して説明する。図６（ａ）は分岐ブレーカの構成を、（ｂ）はアドレス識別物の外観を、（ｃ）はアドレス識別物に形成される平面コイルの構成を、（ｄ）は分岐ブレーカの底面の外観を示す。アドレス識別物６は、分岐回路毎に、複数の渦巻き状の平面コイル６２を有しており、計測ユニット５からの信号線（図示なし）により平面コイル６２に直流電流を流して磁界を発生させ、アドレス情報を出力する。平面コイル６２は左回りと右回りがあり、それぞれに巻き数の多いパターンと少ないパターンとがある。この計、４種類の平面コイル６２と平面コイル無しにより、５種類の信号を発生させることができる。そして、アドレス検出部４４は、例えばホール素子４４２から成る磁気センサを有しており、平面コイル６２を検出する。アドレス情報を、例えば３個の平面コイル６２によって構成すれば、５×５×５＝１２５により１２５通りのアドレスを設定することができる。
【００４９】
アドレス識別物６が平面コイル６２によりアドレス情報を有するので、アドレス設定の改ざんが、第１の実施形態のような機械式のアドレス設定に比べて行いにくく、アドレス設定の信頼性が向上する。また、アドレス検出部４４とアドレス識別物６とが非接触であるので、分岐ブレーカ４の分電盤１への取り付け、取り外しを繰り返しても磨耗等がなく、アドレス情報の読み取りの劣化が生じない。
【００５０】
（第３の実施形態）
本発明の第３の実施形態に係る分電盤について図面を参照して説明する。図７（ａ）は分岐ブレーカの外観を、（ｂ）は分岐ブレーカの底面の外観を、（ｃ）は分岐ブレーカのアドレス識別物への装着状態の斜め上方からの斜視を、（ｄ）は分岐ブレーカのアドレス識別物への装着状態の平面視を、（ｅ）はアドレス識別物に形成された電子回路とアドレス検出部の測定回路を示す。アドレス識別物６は、プリント基板６６０より成っており、複数の分岐回路のアドレス情報に対応した電子回路６６３を有している。電子回路６６３はチップ抵抗６６１とバネ状の抵抗側接続端子６６２とから成っている。状態検出部４４は、底面４６４にアドレス識別物６の電子回路６６３を測定するための測定側接続端子４７３を有し、内部に電子回路６６３を測定する測定回路４７４を有している。
【００５１】
電子回路６６３には、アドレス情報に対応したチップ抵抗６６１である抵抗Ｒ１と抵抗Ｒ２とが直列接続されており、直列接続された抵抗Ｒ１、Ｒ２の両端部と、抵抗Ｒ１、Ｒ２の接続部とがそれぞれ抵抗側接続端子６６２に繋げられている。アドレス検出部４４の測定側回路４７４は、直流電源４７１と電圧計４７２と測定側接続端子４７３とを有しており、測定側接続端子４７３を抵抗側接続端子６６２に接続し、直列接続された抵抗Ｒ１、Ｒ２の両端に直流電源４７１によって電圧を印加し、抵抗Ｒ１による分圧を電圧計４７２により測定する。この電圧測定により、アドレス情報を読み取る。例えば、抵抗Ｒ１を１ｋΩ、抵抗Ｒ２を２ｋΩ、印加電圧を３Ｖとすると、抵抗Ｒ１の分圧は１Ｖとなり、予め定めた電圧とアドレスとの関係からアドレスが読み取られる。
【００５２】
上述した本実施形態の分電盤によれば、アドレス識別物６はアドレス情報を電気的物理量により有するので、設定可能なアドレス数を多くすることができる。精度が高く安価な抵抗器を用いることにより、抵抗値の高い分解能を得ることができ、設定可能なアドレス数を安価に多くすることができる。また、抵抗側接続端子６６２と測定側接続端子４７３との間に接触抵抗が有っても精度良くアドレス情報を読み取ることができる。  
【００５３】
複数の分岐回路のアドレス情報を一つのプリント基板６６０に形成することができるので、個々の分岐回路毎にプリント基板６６０を形成するよりも、低コストになり、プリント基板６６０の分電盤１への取り付けも容易になる。また、電子回路６６３間は絶縁されているので、アドレス情報を有するある一つの電子回路６６３にノイズが重畳しても、アドレス情報を有する他の電子回路６６３には影響がなく、アドレス情報の読み取りの信頼性が向上する。
【００５４】
アドレス識別物６は、上記の電子回路６６３を、導電性のインクを用いて絶縁盤にインクジェット印刷によって形成してもよい。電子回路６６３を低コストに製作することができる。
【００５５】
本実施形態の分岐ブレーカ４の変形例を説明する。図８（ａ）は分岐ブレーカ４の外観を、（ｂ）は底面を示す。分岐ブレーカ４は３個の測定側接続端子４７３の内で、電圧を印加する両端の測定側接続端子４７３ａ、４７３ｃの形状を、分岐ブレーカ４の分電盤１への挿入方向Ａ側に長くする。そして、測定側接続端子４７３ａ、４７３ｃの長い部分が、中央の測定側接続端子４７３ｂよりも挿入方向Ａの方向に出ているように、測定側接続端子４７３ａ、４７３ｂ、４７３ｃを配置する。分岐ブレーカ４を分電盤に装着するときには、測定側接続端子４７３と抵抗側接続端子６６２とが合わさるように分岐ブレーカ４をアドレス識別物６に押し付けた後、分岐ブレーカ４を挿入方向Ａに移動させて装着するが、測定側接続端子４７３の構成を上述のようにすることにより、両端部の測定側接続端子４７３ａ、及び４７３ｃが抵抗側接続端子６６２と接触した後に、測定側接続端子４７３ｂが抵抗側接続端子６６２と接触する。このことにより、抵抗Ｒ１、Ｒ２に電圧が十分に印加されない内に、抵抗Ｒ１の分圧を測定することがなく、分岐ブレーカ４が分電盤に完全に装着されてから、アドレス情報を読み取るので、読み取りの誤りを防ぐことができる。
【００５６】
（第４の実施形態）
本発明の第４の実施形態に係る分電盤について図面を参照して説明する。図９（ａ）は、分岐ブレーカとアドレス識別物の外観を、（ｂ）は計測ユニットからアドレス識別物への信号の出力状態を示す。アドレス識別物６は、分岐回路毎に、例えばＬＥＤ６４の発光素子を有しており、アドレス検出部４４はＬＥＤ６４の光を検出する、例えばフォトダイオードの受光素子（図示なし）を有している。ＬＥＤ６４は、計測ユニット５と信号線６３によって接続されている。計測ユニット５は、シリアルパルス６４１を送信して、ＬＥＤ６４を点滅させ、アドレス情報を出力する。計測ユニット５からの信号線６３はマイコンの信号振分回路６５によって分岐して各ＬＥＤ６４と繋がっている。計測ユニット５からの信号は信号振分回路６５によって出力先の分岐回路に振り分けられアドレス情報が出力される。アドレス検出部４４は、アドレス情報を読み取り、アドレスを設定する。
【００５７】
アドレス情報の読み取りを光によって行なうので、分電盤内の大電流による磁気の影響を受けず、信頼性が向上する。また、シリアルパルス６４１によりアドレス情報を出力するので設定するアドレス数に制限がない。
【００５８】
（第５の実施形態）
本発明の第５の実施形態に係る分電盤について図面を参照して説明する。図１０（ａ）は分岐ブレーカの外観を、（ｂ）は分岐ブレーカのアドレス識別物への装着状態を、（ｃ）は計測ユニットとアドレス検出部との通信状況を、図１１は分電盤の構成を示す。アドレス識別物６は、分岐回路毎に、例えばＬＥＤ６４の発光素子と、フォトダイオード６７の受光素子とを有しており、アドレス検出部４４は、それらに対応して、例えばフォトダイオード４８２の受光素子と、ＬＥＤ４８１の発光素子とを有している。ＬＥＤ６４、及びフォトダイオード６７は計測ユニット５と信号線６３によって接続されている。計測ユニット５とアドレス検出部４４とは、互いにシリアルパルス６４１を送信して、ＬＥＤ６４、又はＬＥＤ４８１を点滅させ、信号振分回路６５を介して相互に通信を行なう。計測ユニット５からアドレス検出部４４へはアドレス情報が出力されて、処理部によってアドレスが設定される。アドレス検出部４４から計測ユニット５へは、設定されたアドレスが確認のために出力される。
【００５９】
シリアルパルス６４１によってアドレス情報が出力されるのでアドレス数の制限がなく、また、双方向通信により、アドレス設定の確認を行なうことができる。また、アドレス情報以外の情報の通信を行なうことができる。
【００６０】
（第６の実施形態）
本発明の第６の実施形態に係る分電盤について説明する。図１２は、アドレス識別物の外観を示す。アドレス識別物６は無線通信が可能なＩＣチップ６６４を備え、ＩＣチップ６６４はアドレス情報を有している。アドレス検出部はＩＣチップ６６４の有するデータを読み取るリーダを有しており、ＩＣチップ６６４とリーダ間で通信を行なう。アドレス識別物６の駆動電源が不要となり、また、アドレス識別物６を分岐ブレーカの近傍に設置するだけでアドレス設定を行なうことができる。
【００６１】
なお、本発明は、上記各種実施形態の構成に限られず、発明の趣旨を変更しない範囲で種々の変形が可能である。例えば、第３の実施形態の電子回路は、チップ抵抗以外の電子部品を用いて形成してもよい。情報量を増やすことや、読み取りの信頼性の向上を行なうことができる。また、状態検出部、アドレス検出部、及び子機モジュールは分岐ブレーカに内蔵された形態でもよいし、分岐ブレーカとは別個の形態として分電盤に設置してもよい。
【図面の簡単な説明】
【００６２】
【図１】本発明の第１の実施形態に係る分電盤の構成図。
【図２】同分岐ブレーカの構成図。
【図３】（ａ）、（ｂ）は同分岐ブレーカのアドレス識別物への装着状態を示す図、（ｃ）は同分岐ブレーカの底方向からの斜視図。
【図４】同分電盤の動作のフロー図。
【図５】同分岐ブレーカと計測ユニット間の通信内容を示す図。
【図６】（ａ）は本発明の第２の実施形態に係る分岐ブレーカの構成図、（ｂ）は同アドレス識別物の構成図、（ｃ）は同アドレス識別物に形成される平面コイルの構成図、（ｄ）は同分岐ブレーカの底側の平面図。
【図７】（ａ）は本発明の第３の実施形態に係る分岐ブレーカの底方向からの斜視図、（ｂ）は同分岐ブレーカの底側の平面図、（ｃ）は同分岐ブレーカのアドレス識別物への装着状態を示す斜視図、（ｄ）は同分岐ブレーカのアドレス識別物への装着状態を示す平面図、（ｅ）は同アドレス識別物に形成された電子回路とアドレス検出部の測定回路の回路図。
【図８】（ａ）は同実施形態の変形例の分岐ブレーカの底方向からの斜視図、（ｂ）は底側の平面図。
【図９】（ａ）は本発明の第４の実施形態に係る分岐ブレーカの構成図、（ｂ）は同計測ユニットからアドレス識別物への信号の出力状態を示す図。
【図１０】（ａ）は本発明の第５の実施形態に係る分岐ブレーカの底方向からの斜視図、（ｂ）は同分岐ブレーカのアドレス識別物への装着状態を示す斜視図、（ｃ）は同計測ユニットとアドレス識別物間の通信状況を示す図。
【図１１】同分電盤の構成図。
【図１２】本発明の第６の実施形態に係るアドレス識別物の斜視図。
【符号の説明】
【００６３】
１  分電盤
１１  底板
４  分岐ブレーカ
４１  検出センサ
４２  処理部
４３  状態検出部
４４  アドレス検出部
４４２  ホール素子（磁気センサ）
４７３  測定側接続端子（接続端子）
６  アドレス識別物
６０  凹凸構造（構造）
６２  平面コイル
６４  ＬＥＤ（発光素子）
６６１  チップ抵抗（抵抗器）
６６２  抵抗側接続端子（接続端子）
６６３  電子回路
６６４  ＩＣチップ
【図１】
2008228379.tif 000003
【図２】
2008228379.tif 000004
【図３】
2008228379.tif 000005
【図４】
2008228379.tif 000006
【図５】
2008228379.tif 000007
【図６】
2008228379.tif 000008
【図７】
2008228379.tif 000009
【図８】
2008228379.tif 000010
【図９】
2008228379.tif 000011
【図１０】
2008228379.tif 000012
【図１１】
2008228379.tif 000013
【図１２】
2008228379.tif 000014